(57)【要約】【課題】ブロアで跳ね上げた雪をシュータに円滑に導くことができる除雪機を提供する。【解決手段】除雪機１０は、左右のオーガ２７の後方にブロアハウジング２１が設けられ、ブロアハウジング２１内の雪をブロア２３で跳ね上げ、跳ね上げられた雪をシュータ３１を介して投雪するものである。ブロアハウジング２１は、周壁部４５および後壁部４６が断面湾曲に形成された湾曲壁部４７で連結されることにより、周壁部４５、後壁部４６および湾曲壁部４７で平面視お椀型に形成されている。湾曲壁部４７の上方にシュータ３１が設けられ、シュータ３１が断面円形に形成されている。さらに、シュータ本体５８（下端部５８ａ）の断面円形の曲率ｋ３を湾曲壁部４７の断面湾曲の曲率ｋ１と略同一とした。【選択図】図５
2015055116.tif 000002
【特許請求の範囲】
【請求項１】
オーガの後方にブロアハウジングが設けられ、該ブロアハウジング内の雪をブロアで跳ね上げ、跳ね上げられた雪をシュータを介して投雪する除雪機において、
前記ブロアハウジングは、
前記ブロアを収納可能な周壁部および前記ブロアの後方に配置された後壁部が、断面湾曲に形成された湾曲部で連結されることにより、前記周壁部、前記後壁部および前記湾曲部で平面視後方突出湾曲形状に形成され、
前記湾曲部の上方に前記シュータが設けられ、該シュータが断面円形に形成され、
前記シュータの断面円形の曲率を前記湾曲部の断面湾曲の曲率と略同一としたことを特徴とする除雪機。
【請求項２】
前記ブロアは、前記雪を跳ね上げる羽根が設けられ、該羽根が前記湾曲部に倣わせて湾曲状に形成されたことを特徴とする請求項１記載の除雪機。
【発明の詳細な説明】
【技術分野】
【０００１】
本発明は、ブロアハウジング内の雪をブロアで跳ね上げ、跳ね上げられた雪をシュータを介して投雪する除雪機に関する。
【背景技術】
【０００２】
除雪機のなかには、オーガハウジングの雪をオーガで幅方向中央に掻き集め、掻き集めた雪をブロアハウジングに導き、導いた雪をブロアで跳ね上げ、跳ね上げた雪をシュータで投雪するものが知られている。（例えば、特許文献１参照。）。
ブロアハウジングは横向きの円筒状に形成され、ブロアハウジングの上部において片側に偏心した部位からシュータ支持部（吐出部）が突出されている。このシュータ支持部にシュータの基部が支持されている。
【０００３】
シュータ支持部は略矩形状に形成された放出口を内部に有する。放出口はブロアハウジングの内部をシュータに連通する開口である。よって、ブロアハウジングの雪をブロアで跳ね上げることにより、跳ね上げた雪が略矩形状の放出口を経てシュータに導かれる。導かれた雪はシュータを経て投雪される。
【０００４】
ここで、除雪機は、ブロアで跳ね上げた雪を所望位置に投雪するために、シュータをシュータ支持部に対して旋回可能に支持することが要求される。このため、シュータ支持部の外形が円形状に形成され、かつ、シュータの基部が円形状に形成される。
よって、シュータ支持部をシュータの基部で覆うように、基部がシュータ支持部に載置されることにより、シュータ支持部に対してシュータの基部が旋回自在に支持される。シュータを旋回させることにより、ブロアで跳ね上げた雪をシュータを経て所望位置に投雪することができる。
【先行技術文献】
【特許文献】
【０００５】
【特許文献１】特開２００５−２１３７６６号公報
【発明の概要】
【発明が解決しようとする課題】
【０００６】
ところで、従来の除雪機は、シュータ支持部の放出口が略矩形状に形成され、シュータの基部が円形状に形成されている。すなわち、放出口の断面形状とシュータ（基部）の断面形状が異なる。このため、放出口の壁面およびシュータ（基部）の壁面が連続する部位に段差部が形成される。
よって、放出口の壁面からシュータ（基部）に雪が移動する（流れる）際に、段差部が雪の流れに対して抵抗となることが考えられる。このため、ブロアで跳ね上げた雪をシュータに円滑に導く妨げになり、かつ、雪の塊（まとまり状態）が段差部で崩されることが考えられる。
【０００７】
本発明は、ブロアで跳ね上げた雪をシュータに円滑に導くことができる除雪機を提供することを課題とする。
【課題を解決するための手段】
【０００８】
請求項１に係る発明は、オーガの後方にブロアハウジングが設けられ、該ブロアハウジング内の雪をブロアで跳ね上げ、跳ね上げられた雪をシュータを介して投雪する除雪機において、前記ブロアハウジングは、前記ブロアを収納可能な周壁部および前記ブロアの後方に配置された後壁部が、断面湾曲に形成された湾曲部で連結されることにより、前記周壁部、前記後壁部および前記湾曲部で平面視後方突出湾曲形状に形成され、前記湾曲部の上方に前記シュータが設けられ、該シュータが断面円形に形成され、前記シュータの断面円形の曲率を前記湾曲部の断面湾曲の曲率と略同一としたことを特徴とする。
【０００９】
請求項２に係る発明は、前記ブロアは、前記雪を跳ね上げる羽根が設けられ、該羽根が前記湾曲部に倣わせて湾曲状に形成されたことを特徴とする。
【発明の効果】
【００１０】
請求項１に係る発明では、ブロアハウジングの後壁部および周壁部を連結する湾曲部を断面湾曲に形成することにより、ブロアハウジングを平面視後方突出湾曲形状（お椀型）に形成した。さらに、シュータを断面円形に形成し、シュータの断面円形の曲率を湾曲部の断面湾曲の曲率と略同一とした。
【００１１】
よって、ブロアハウジングの湾曲部およびシュータ間の壁部（内周面）から段差部を除去できる。これにより、ブロアで跳ね上げられた雪を、段差部による抵抗に影響されることなくシュータに円滑に導くことができる。さらに、跳ね上げられた雪の塊（まとまり状態）を段差部で崩すことなく、シュータに導くことができる。
このように、ブロアで跳ね上げられた雪を、雪の塊にまとめた状態でシュータに円滑に導くことができるのでブロアで跳ね上げた雪の投雪距離を十分に確保できる。
【００１２】
請求項２に係る発明では、ブロアの羽根を湾曲部に倣わせて湾曲状に形成した。よって、ブロアの羽根を湾曲部に近接させることができる。これにより、ブロアの羽根で跳ね上げられた雪を湾曲部に接触させた状態でシュータに良好に導くことができる。
【００１３】
また、ブロアの羽根を湾曲部に近接させることにより、羽根および湾曲部間の間隔を小さく抑えることができる。よって、ブロアの羽根で跳ね上げられた雪の塊が羽根および湾曲部間の間隔に入り込むことを防ぐことができる。
これにより、ブロアの羽根で跳ね上げられた雪の塊がブロアの羽根と湾曲部との間に詰まることを防止できる。
【図面の簡単な説明】
【００１４】
【図１】本発明に係る除雪機を示す斜視図である。
【図２】図１の除雪機を示す分解斜視図である。
【図３】図２の除雪装置から左右のオーガを除去した状態を示す斜視図である。
【図４】図３のブロアハウジングおよびブロアを分解した状態を示す分解斜視図である。
【図５】図２の５−５線断面図である。
【図６】図２の除雪装置からシュータを除去した状態を示す平面図である。
【図７】図６のブロアハウジングを破断した状態を示す断面図である。
【図８】（ａ）はブロアハウジングにシュータを取り付けた状態を示す斜視図、（ｂ）は（ａ）の分解斜視図である。
【図９】本発明に係る除雪装置で雪を投雪する例を説明する図である。
【発明を実施するための形態】
【００１５】
本発明を実施するための最良の形態を添付図に基づいて以下に説明する。なお、「前（Ｆｒ）」、「後（Ｒｒ）」、「左（Ｌ）」、「右（Ｒ）」は操作者から見た方向にしたがう。
【実施例】
【００１６】
実施例に係る除雪機１０について説明する。
図１に示すように、除雪機１０は、機体としての伝動ケース１１の下部左右側に設けられた走行用の電動モータ１２，１２（右側は図示せず）と、電動モータ１２，１２の左右側に設けられた走行部１３，１３（左側は図示せず）と、伝動ケース１１に搭載されたエンジン（図示せず）と、伝動ケース１１の前部に設けられた除雪装置２０とを備えている。
【００１７】
図２、図３に示すように、除雪装置２０は、伝動ケース１１の前部１１ａに取り付けられたブロアハウジング２１と、ブロアハウジング２１の内部２２に回転自在に配置されたブロア２３と、ブロアハウジング２１（周壁部４５）の前端部４５ａに設けられたオーガハウジング２５と、オーガハウジング２５の内部２６に回転自在に配置された左右のオーガ（オーガ）２７とを備えている。
さらに、除雪装置２０は、ブロアハウジング２１の上部２１ａにシュータ３１を備えている。
【００１８】
図４に示すように、ブロアハウジング２１の後壁部４６に軸受部３４（図５参照）を介して駆動軸３５が回転自在に支持されている。駆動軸３５がブロアハウジング２１の内部２２を経てオーガハウジング２５まで延出されている。ブロアハウジング２１の内部２２において駆動軸３５にブロア２３が固定された状態に取り付けられている。
【００１９】
図２に戻って、オーガハウジング２５内の幅方向中央にオーガミッション３６が配置され、オーガミッション３６に駆動軸３５が連結されている。オーガミッション３６から左右のオーガ軸３７が左右方向に延出されている。左オーガ軸３７に左オーガ２７が取り付けられ、右オーガ軸３７に右オーガ２７が取り付けられている。
【００２０】
駆動軸３５は、後端部がエンジンの出力軸に連結されている。よって、エンジンを駆動することにより駆動軸３５が回転され、駆動軸３５とともにブロア２３（図４参照）が回転する。
さらに、駆動軸３５の回転がオーガミッション３６から左右のオーガ軸３７に伝わる。よって、左オーガ軸３７とともに左オーガ２７が回転し、かつ、右オーガ軸３７とともに右オーガ２７が回転する。
【００２１】
図２、図３に示すように、オーガハウジング２５は、湾曲状に形成された背面ブレード４１と、背面ブレード４１の左右端に取り付けられた左右の側面ブレード４２とを備えている。背面ブレード４１の左右中央部に導入口４３が形成されている。
左右のオーガ２７が回転することにより、オーガハウジング２５の内部２６に集められた雪がオーガハウジング２５の導入口４３に掻き集められる。
導入口４３に掻き集められた雪は、除雪機１０が前進走行することにより、導入口４３からブロアハウジング２１の内部２２に導かれる。
【００２２】
図４、図５に示すように、ブロアハウジング２１は、オーガハウジング２５（背面ブレード４１）に前端部４５ａが連結された周壁部４５と、周壁部４５の後方に配置された後壁部４６と、後壁部４６および周壁部４５を連結する湾曲壁部（湾曲部）４７と、周壁部４５および湾曲壁部４７に設けられたシュータ支持部４８とを含む。
すなわち、ブロアハウジング２１は、左右のオーガ２７の後方に設けられている。
【００２３】
周壁部４５は、背面ブレード４１の導入口４３を覆うように前端部４５ａが導入口４３に沿って設けられ、横向き円筒状に形成されている。この周壁部４５の内部（すなわち、ブロアハウジング２１の内部２２）に駆動軸３５が周壁部４５に対して同軸上に貫通されている。
駆動軸３５にブロア２３が取り付けられることにより、周壁部４５の内部（ブロアハウジング２１の内部２２）にブロア２３が回転自在に収納される。この状態において、ブロアハウジング２１の内部２２に導入口４３が開口されている。
【００２４】
図６、図７に示すように、周壁部４５の後方において、周壁部４５に対して同軸上に後壁部４６が配置されている。後壁部４６および周壁部４５間に湾曲壁部４７が介在され、湾曲壁部４７で後壁部４６および周壁部４５が一体に連結されている。
周壁部４５の後端部４５ｂが湾曲壁部４７および後壁部４６で閉塞されている。
【００２５】
湾曲壁部４７は、曲率ｋ１となるように断面湾曲（断面円弧）の形状が決められる。すなわち、湾曲壁部４７は、内周面５４の断面湾曲（断面円弧）が半径Ｒ１（曲率ｋ１＝１／Ｒ１）の大きさに形成される。
ブロアハウジング２１は、湾曲壁部４７が断面湾曲に形成されることにより、周壁部４５、後壁部４６および湾曲壁部４７で平面視お椀型（後方突出湾曲形状）に形成されている。
【００２６】
周壁部４５は、上部４５ｃにおいて左側に偏心した周壁支持部位４５ｄを有する。また、湾曲壁部４７は、上部４７ａにおいて左側に偏心した湾曲支持部位４７ｂを有する。周壁支持部位４５ｄおよび湾曲支持部位４７ｂからシュータ支持部４８が上向きに突出されている（図４参照）。
【００２７】
図４、図８に示すように、シュータ支持部４８は、周壁支持部位４５ｄおよび湾曲支持部位４７ｂから上向きに突出された支持周壁５１と、支持周壁５１の上端部５１ａに設けられた支持フランジ５２とを有する。
【００２８】
図６、図７に戻って、支持周壁５１は、曲率ｋ２となるように断面円形の形状が決められる。すなわち、支持周壁５１は、内周面５５の断面円形が半径Ｒ２（曲率ｋ２＝１／Ｒ２）の大きさに形成される。支持周壁５１で雪の放出口が形成される。よって、ブロアハウジング２１の内部２２からブロア２３で跳ね上げられた雪が支持周壁（放出口）５１を経てシュータ３１（図４参照）に導かれる。
支持周壁５１の曲率ｋ２は湾曲壁部４７の曲率ｋ１と略同一である。よって、支持周壁５１の半径Ｒ２が湾曲壁部４７の半径Ｒ１と略同一となる。
【００２９】
これにより、支持周壁５１（内周面５５）の左内周面５５ａが、湾曲壁部４７（内周面５４）の左内周面５４ａに対して略面一に形成されている。
支持フランジ５２は、支持周壁５１の上端部５１ａにおいて外側にリング状に張り出されている（図８（ｂ）も参照）。
【００３０】
図４、図８に示すように、支持周壁５１の上端部５１ａにシュータ３１の基部５７が被せられることにより、シュータ支持部にシュータ３１の基部５７が旋回自在に支持されている。
すなわち、シュータ３１は、シュータ支持部４８を介して湾曲壁部４７の上方に設けられている。このシュータ３１は、支持周壁５１の上端部５１ａに被せられる基部５７と、基部５７から上方に延出されたシュータ本体５８とを有する。
【００３１】
基部５７は、支持周壁５１（上端部５１ａ）の外側に嵌合可能に環状に形成された環状部６１と、環状部６１の下端部６１ａから外方に向けて張り出された外支持フランジ６２と、環状部６１の上端部６１ｂから内方に向けて張り出された内支持フランジ６３とを有する（図５も参照）。
【００３２】
図５に示すように、支持周壁５１（上端部５１ａ）の外側に環状部６１が嵌合された状態において、外支持フランジ６２がシュータ支持部４８の支持フランジ５２に載置されることにより、基部５７がシュータ支持部４８に旋回自在に支持される。
この状態において、内支持フランジ６３が支持周壁５１の上縁５１ｂを覆うように配置される。内支持フランジ６３の内縁６３ａは、支持周壁５１の内周面５５に対して略面一に設定されている。
【００３３】
図８に戻って、シュータ本体５８は、下端部５８ａが曲率ｋ３となるように断面円形の形状が決められる。すなわち、シュータ本体５８の下端部５８ａは、内周面６５の断面円形が半径Ｒ３（曲率ｋ３＝１／Ｒ３）の大きさに形成される。
このシュータ本体５８は、下端部５８ａから上端部５８ｂに向けて断面形状が徐々に略Ｕ字状になるように形成されている。
【００３４】
シュータ本体５８（下端部５８ａ）の曲率ｋ３は、湾曲壁部４７の曲率ｋ１（図７参照）および支持周壁５１の曲率ｋ２と略同一である。すなわち、シュータ本体５８（下端部５８ａ）の半径Ｒ３が、支持周壁５１の半径Ｒ２や湾曲壁部４７の半径Ｒ１（図７参照）と略同一となる。
【００３５】
よって、シュータ本体５８（下端部５８ａ）の内周面６５が、内支持フランジ６３の内縁６３ａ、支持周壁５１の内周面５５や湾曲壁部４７の内周面５４（左内周面５４ａ）に対して略面一に設定されている。
これにより、ブロアハウジング２１の湾曲壁部４７およびシュータ３１間の内周面５４（左内周面５４ａ）（図６参照），５５，６３ａ，６５から段差部を除去できる。
【００３６】
図４に示すように、ブロアハウジング２１の内部２２に駆動軸３５を介してブロア２３が回転自在に収納されている。
ブロア２３は、駆動軸３５に貫通される貫通孔７２を有するブロアベース７１と、ブロアベース７１から半径方向外側に向けて延出された複数のアーム部７３と、アーム部７３の先端部７３ａに取り付けられた羽根部（羽根）７４とを備えている。
ブロア２３を駆動軸３５で回転することにより、ブロアハウジング２１の内部２２に導かれた雪が羽根部７４でシュータ支持部４８（すなわち、シュータ３１）に向けて跳ね上げられる。
【００３７】
図５、図７に示すように、羽根部７４は、先端部７４ａのうち湾曲壁部４７の内周面５４（左内周面５４ａ）に対峙する部位に湾曲羽根部７４ｂを有する。湾曲羽根部７４ｂは、湾曲壁部４７の内周面５４（左内周面５４ａ）に倣わせて湾曲状に形成されている。
よって、ブロア２３の羽根部７４を湾曲壁部４７の内周面５４の左内周面５４ａに近接させることができる。これにより、羽根部７４で跳ね上げられた雪が、湾曲壁部４７の内周面５４（左内周面５４ａ）に接触させた状態でシュータ支持部４８の支持周壁５１に導かれる。
【００３８】
図８に再び戻って、支持周壁５１（内周面５５）の左内周面５５ａが、湾曲壁部４７（内周面５４）の左内周面５４ａに対して略面一に形成されている。
よって、羽根部７４で跳ね上げられた雪が湾曲壁部４７（左内周面５４ａ）を経てシュータ支持部４８の支持周壁５１に円滑に導かれる。シュータ支持部４８の支持周壁５１に導かれた雪がシュータ３１（シュータ本体５８）の下端部５８ａに導かれる。
【００３９】
ここで、シュータ本体５８（下端部５８ａ）の内周面６５が、内支持フランジ６３の内縁６３ａや支持周壁５１の内周面５５に対して略面一に設定されている。また、内支持フランジ６３の内縁６３ａが、支持周壁５１の内周面５５に対して略面一に設定されている。
よって、シュータ支持部４８の支持周壁５１に導かれた雪が、シュータ本体５８の下端部５８ａ（すなわち、シュータ３１）に円滑に導かれる。
これにより、ブロア２３の羽根部７４で跳ね上げられた雪が、湾曲壁部４７、シュータ支持部４８（支持周壁５１）および内支持フランジ６３を経てシュータ３１に良好に導かれる。
【００４０】
図７に戻って、ブロア２３の羽根部７４（先端部７４ａ）を湾曲壁部４７に近接させることにより、羽根部７４および湾曲壁部４７間の間隔Ｓを小さく抑えることができる。よって、羽根部７４で跳ね上げられた雪の塊が羽根部７４および湾曲壁部４７間の間隔Ｓに入り込むことを防ぐことができる。
【００４１】
これにより、羽根部７４で跳ね上げられた雪の塊が羽根部７４と湾曲壁部４７との間Ｓに詰まることを防止できる。
羽根部７４と湾曲壁部４７との間Ｓに雪が詰まることを防止することにより除雪作業性を高めることができる。
ブロア２３（複数の羽根部７４）でシュータ３１に跳ね上げられた雪は、シュータ３１を介して投雪される。
【００４２】
ところで、図８に示すように、支持周壁５１はシュータ３１（具体的には、基部５７）で覆われる。よって、例えば、支持周壁５１を断面矩形状に形成した場合、支持周壁５１の開口断面積は、断面円形のシュータ３１の開口断面積に比べて小さくなる。
このため、ブロア２３で跳ね上げられた雪が支持周壁５１に詰まることが考えられる。
支持周壁５１の開口断面積を大きく確保するためには、シュータ３１の開口断面積を必要以上に大きくすることになり、好ましくない。
【００４３】
また、支持周壁５１を断面矩形状に形成した場合、支持周壁５１の開口断面積がシュータ３１の開口断面積に比べて小さくなり、支持周壁５１の内周面とシュータ３１の内周面との間に段差が生じる。
このため、ブロア２３で跳ね上げられた雪をシュータ３１に円滑に導くことが難しい。
さらに、支持周壁５１の内周面とシュータ３１の内周面との間に段差が形成された場合、ブロア２３で跳ね上げられた雪の塊（まとまり状態）が段差部で崩されることが考えられる。
【００４４】
これに対して、実施例においては、支持周壁５１を断面円形として支持周壁５１の曲率ｋ２をシュータ本体５８（下端部５８ａ）の曲率ｋ３と略同一とした。よって、支持周壁５１の開口断面積Ｓ１をシュータ本体５８（下端部５８ａ）の開口断面積Ｓ２と略同じ大きさにできる。
これにより、ブロア２３で跳ね上げられた雪が支持周壁５１に詰まり難くすることができる。
【００４５】
さらに、支持周壁５１を断面円形に形成することにより、シュータ３１の開口断面積（すなわち、シュータ３１の径）を必要以上に大きくすることなく、支持周壁５１の開口断面積を大きく確保できる。
これにより、ブロア２３で跳ね上げられた雪が支持周壁５１に一層詰まり難くすることができる。
【００４６】
また、支持周壁５１の開口断面積をシュータ３１の開口断面積と略同じ大きさにできるので、支持周壁５１の内周面とシュータ３１の内周面との間に段差が生じない。
これにより、ブロア２３で跳ね上げられた雪をシュータ３１に円滑に導くことができる。
さらに、支持周壁５１の内周面とシュータ３１の内周面との間に段差が形成されないので、ブロア２３で跳ね上げられた雪の塊（まとまり状態）を崩さないようにできる。
【００４７】
つぎに、ブロア２３で跳ね上げた雪をシュータ３１で投雪する例を図９に基づいて説明する。
図９（ａ）に示すように、除雪機１０（図１参照）が矢印Ａ方向に前進走行するとともに駆動軸３５でブロア２３が矢印Ｂの如く回転する。除雪機１０が前進走行することにより除雪装置２０が矢印Ａの如く移動し、ブロアハウジング２１の内部２２に雪８１が導かれる。
【００４８】
図９（ｂ）に示すように、ブロアハウジング２１の内部２２に導かれた雪８１が羽根部７４で矢印Ｃの如く跳ね上げられる。跳ね上げられた雪８１が、湾曲壁部４７、シュータ支持部４８（支持周壁５１）および内支持フランジ６３（内縁６３ａ（図５参照））を経てシュータ本体５８（すなわち、シュータ３１）に矢印Ｄの如く良好に導かれる。
【００４９】
ここで、図８（ｂ）に示すように、シュータ本体５８（下端部５８ａ）の内周面６５が、内支持フランジ６３の内縁６３ａ、支持周壁５１の内周面５５や湾曲壁部４７の内周面５４（左内周面５４ａ）に対して略面一に設定されている。
すなわち、ブロアハウジング２１の湾曲壁部４７およびシュータ３１間の内周面５４ａ，５５，６３ａ，６５から段差部が除去されている。
【００５０】
これにより、図９（ｂ）に示すように、ブロア２３で跳ね上げられた雪８１を、段差部による抵抗に影響されることなくシュータ３１に矢印Ｄの如く円滑に導くことができる。さらに、跳ね上げられた雪８１の塊（まとまり状態）を段差部で崩すことなく、シュータ３１に矢印Ｄの如く導くことができる。
【００５１】
図９（ａ）に戻って、ブロア２３で跳ね上げられた雪８１を、塊にまとめた状態でシュータ３１に矢印Ｄの如く円滑に導くことができる。シュータ３１に導かれた雪８１はシュータ３１を経て所望位置に当接される。
このように、ブロア２３で跳ね上げられた雪８１をシュータ３１に円滑に矢印Ｅの如く導くことにより雪８１の投雪距離を十分に確保できる。
【００５２】
なお、本発明に係る除雪機は、前述した実施例に限定されるものではなく適宜変更、改良などが可能である。
例えば、前記実施例では、シュータ３１（シュータ本体５８）の下端部５８ａを断面円形に形成し、下端部５８ａから上端部５８ｂに向けて断面形状が徐々に略Ｕ字状になるように形成した例について説明したが、シュータ本体５８の形状はこれに限定するものではない。
例えば、シュータ本体５８の下端部５８ａから上端部５８ｂに亘って全体に断面円形に形成することも可能である。
【００５３】
また、前記実施例で示した除雪機、ブロアハウジング、ブロア、左右のオーガ、シュータ、周壁部、後壁部、湾曲壁部および羽根部などの形状や構成は例示したものに限定するものではなく適宜変更が可能である。
【産業上の利用可能性】
【００５４】
本発明は、ブロアハウジングの内部に導かれた雪をブロアでシュータに向けて跳ね上げ、跳ね上げられた雪をシュータを介して投雪する除雪機への適用に好適である。
【符号の説明】
【００５５】
１０…除雪機、２１…ブロアハウジング、２２…ブロアハウジングの内部、２３…ブロア、２７…左右のオーガ（オーガ）、３１…シュータ、４５…周壁部、４６…後壁部、４７…湾曲壁部（湾曲部）、７４…羽根部（羽根）、８１…雪、ｋ１…湾曲部の断面湾曲の曲率、ｋ３…シュータの断面円形の曲率（シュータ本体（下端部）の断面円形の曲率）。
【図１】
2015055116.tif 000003
【図２】
2015055116.tif 000004
【図３】
2015055116.tif 000005
【図４】
2015055116.tif 000006
【図５】
2015055116.tif 000007
【図６】
2015055116.tif 000008
【図７】
2015055116.tif 000009
【図８】
2015055116.tif 000010
【図９】
2015055116.tif 000011